(57)【要約】【課題】  風雨に曝されても、数字、文字、図形等の表示を消散させることなく、長期間に亘って高い表示機能を発現する標示札を提供する。【解決手段】数字、文字、図形等の表示を施した標示札において、本体をなす地板部と、前記表示の外輪郭形状にそって前記地板部をくりぬいて構成されるくりぬき部と、前記表示の外輪郭形状の閉曲線の内部側として構成される島部と、前記くりぬき部を横断して前記表示の外輪郭形状の閉曲線の外部側にある地板部と前記表示の外輪郭形状の閉曲線の内部側にある前記島部とを連続させる橋部とからなることを特徴とする標示札。【選択図】図１
2010066498.tif 000002
【特許請求の範囲】
【請求項１】
数字、文字、図形等の表示を施した標示札において、
本体をなす地板部と、
前記表示の外輪郭形状にそって前記地板部をくりぬいて構成されるくりぬき部とからなること
を特徴とする標示札。
【請求項２】
数字、文字、図形等の表示を施した標示札において、
本体をなす地板部と、
前記表示の外輪郭形状にそって前記地板部をくりぬいて構成されるくりぬき部と、
前記くりぬき部を横断して地板部を連続させる橋部とからなること
を特徴とする標示札。
【請求項３】
数字、文字、図形等の表示を施した標示札において、
本体をなす地板部と、
前記表示の外輪郭形状にそって前記地板部をくりぬいて構成されるくりぬき部と、
前記表示の外輪郭形状の閉曲線の内部側として構成される島部と、
前記くりぬき部を横断して前記表示の外輪郭形状の閉曲線の外部側にある地板部と前記表示の外輪郭形状の閉曲線の内部側にある前記島部とを連続させる橋部とからなること
を特徴とする標示札。
【請求項４】
請求項３に記載の標示札において、
前記くりぬき部を横断して前記表示の外輪郭形状の閉曲線の外部側にある前記地板部と前記表示の外輪郭形状の閉曲線の内部側にある前記島部とを連続させるだけでなく、
前記くりぬき部を横断して前記地板部を連続させること、
を特徴とする標示札。
【請求項５】
請求項１乃至請求項４に記載の標示札において、
前記くりぬき部を通じて視認される背景の色に対して明暗が鮮明となる彩色を前記地板部に施したこと
を特徴とする標示札。
【発明の詳細な説明】
【技術分野】
【０００１】
本発明は、樹木、工場、電力設備などの管理や、周囲に注意を促すことを目的として用いる標示札に関する。
【背景技術】
【０００２】
工場、鉄道設備、電力設備では、同様の設備を複数設置したり、機器の外装を統一するなどして外見上同じ躯体に収納されている設備を多数保有している。山間部や公園の樹木なども外見上判別しにくい。このような一見すると同様に見える設備等を区別し、管理するにあたって標示札が用いられている（例えば、特許文献１、特許文献２）。
【０００３】
従来の標示札としては、木材、金属、合成樹脂、ＦＲＰ等の材料によって板状に形成されたものが知られている。そして、これらの標示札は、ペンキ等の塗料によって板の表面に数字・文字・図形等が塗装された状態で使用される（例えば、特許文献３）。
【０００４】
標示札は施設などを区別したり、周囲への注意を促すなどの目的で掲げられている。よって、表示された内容を長期間にわたって、看者に対して明瞭に示し続けること、すなわち高い表示機能の保持が可能でなければならない（例えば、特許文献４）。
【０００５】
特に、電柱、変電所、鉄塔など電力設備に掲げられる標示札は、表示内容が不明瞭であると、交換作業時、あるいは修理・点検の際、読み間違いが生じ、通電状態であるか否かの判断を誤ると人身災害や設備事故を引き起こす危険性が高くなる。
【０００６】
また、山間部の高圧送電鉄塔には、その鉄塔の位置、その他の識別記号を表示しておくための標示札が取り付けられている。この標示札は、該鉄塔や送電線に落雷、その他の事故が発生した場合、その事故をヘリコプターで巡視した際、その位置を識別確認するために取り付けられている。また、該ヘリコプターによる巡視での目視でもって認識するため、その取り付け位置は、高い個所となるので、その交換の頻度は少なくできる形態でなければならない。
【０００７】
よって、このような標示札は、長期間にわたって高度な表示機能を保持できることが要求される。
【特許文献１】実用新案登録第３１２６８５５号公報
【特許文献２】特開平８―１４９６４４号公報
【特許文献３】実用新案登録第３０１５３８５号公報
【特許文献４】特開平７―２３９６５９号公報
【発明の開示】
【発明が解決しようとする課題】
【０００８】
しかしながら、従来の表示板は、長期間にわたって使用されると表面に塗装されている数字、文字、図形等の表示内容が、風雨に曝されてはげ落ちたり、変色、退色によって消散し、表示機能を失ってしまうという課題を有している。特に、海岸沿いの場所や薬品等が多く使用される環境の下で上記表示板が使用される場合には、その傾向が顕著となる。また、山間部の鉄塔など地上高が高く、太陽光や風雨により激しくさらされる箇所でも、この傾向は顕著となる。
【０００９】
このため、従来の塗装によって表示する標示札は、使用初期における高い表示機能を長期間にわたって保持することができないので、定期的に交換しなければならないという問題が生じていた。
【００１０】
また、標示札の設置箇所によっては周囲の構造物の影が落ち、表示が見えにくくなるという問題もあった。このような場合は、標示札に光をあてて表示を視覚に捉え易くしたり、見える場所に観察者が大きく移動するなどの手間が生じていた。
【００１１】
本発明は、上記の課題を解消するために創作されたものであって、風雨に曝されても、数字、文字、図形等の表示を消散させることなく、長期間に亘って高い表示機能を発現し、また、周囲の構造物の影が落ちても表示機能が発現しやすい標示札を提供することを目的としている。
【課題を解決するための手段】
【００１２】
この発明は上記の事情に鑑みてなされたものであって、その手段としては、請求項１に記載の発明では、数字、文字、図形等の表示を施した標示札であって、前記標示札は、本体をなす地板部と、前記表示の外輪郭形状にそって前記地板部をくりぬいて構成されるくりぬき部を有するところにある。
【００１３】
請求項２に記載の発明では、前記くりぬき部を横断して前記地板部を連続させる橋部を有するところにある。請求項３にあっては、前記表示の外輪郭形状の閉曲線の内部側として構成される島部と前記地板部とを、前記橋部によって前記くりぬき部を横断して連続させるところにある。請求項４にあっては、前記橋部が前記くりぬき部を横断して前記地板部と前記島部とを連続させるだけでなく、前記橋部が前記くりぬき部を横断して前記地板部と前記地板部の他の箇所をも連続させるところにある。請求項５にあっては、前記くりぬき部を通じて視認される背景の色と明暗が鮮明となる彩色を前記地板部に施すところにある。
【発明の効果】
【００１４】
本発明に係る標示札によれば、くりぬき部を通じて標示札の背景を視認できるようになる。そのため、標示札の地板部とくりぬき部を介して視認できる背景の色との明暗の差によって所望の表示を発現させることができる。そのため、標識札に周辺の構造物の影が落ちても、くりぬき部を通じて視認できる背景が明るければ、かえって標示札の地板部とくりぬき部との明暗がはっきりとして、表示機能が高まるという効果を生み出すという効果がある。観察者が移動すると、くりぬき部を通じて視認できる背景が変化するので、表示の模様があたかも変動するようにも見えることから、その変動によって表示の視認が容易になるという効果も生み出す。更には、表示の外輪郭部分にあたるくりぬき部のエッジの反射や立体形状から所望の表示を発現させることもできる。そして、表示には彩色をほどこしているわけではないので、耐候性に優れ、数字、文字、図形等の表示を消散させることなく、長期間に亘って高い表示機能を保持できるという効果が得られる。
【発明を実施するための最良の形態】
【００１５】
以下、添付図面を参照して本発明に係る標示札を実施するために最良の形態について説明する。
【００１６】
まず本発明に係る標示札の構成について説明する。
【００１７】
図１は、本発明に係る標示札の第１の実施形態の構成を示す図である。図１では、標示札１は、地板部２、くりぬき部３、橋部４からなり、表示機能を発現させる。
【００１８】
図２は、本発明に係る標示札の第２の実施形態の構成を示す図である。図２では、図１の構成に加えて、島部５を有することによって、表示機能を発現させる。
【００１９】
なお図１では、標示札１は、標示札を掲示したり鉄塔などの設備に固定するための固定部６を有している例でもある。
【００２０】
本発明にかかる標示札は、その表示機能を、地板部２に対して、くりぬき部３をくりぬきすることで発現させる。
【００２１】
くりぬき部３は、数字、文字、図形等の表示部分の外輪郭形状にそって地板部２をくりぬきする。くりぬいた部分から見える標示札１の背景の色と地板部２との色彩の違いや、数字、文字、図形等の表示部分の外輪郭にあたるくりぬき部３のエッジ３１の光の反射や立体感などによって表示機能は発現する。
【００２２】
橋部４は、表示機能を阻害しない程度の幅をもって、くりぬき部３を横断して地板部２を連続させたり、地板部２と島部５とを連続させたりする。橋部４の存在によって、くりぬき部３が存在しても、標示札１の強度を保持できる。また、図２の「○」のように、閉曲線を一部にでも描く数字、文字、図形等をくりぬきする場合は、その閉曲線をなすくりぬき部３の一部に橋部４を横断させるように配置し、その閉曲線の内部にあたる島部５と、閉曲線の外部にあたる地板部２とを連続させるような形態とする。例えば、このような閉曲線を一部にでも描く数字としては「０」「４」「６」「８」「９」などがある。アルファベットの大文字でいえば「Ａ」［Ｂ］［Ｄ］「Ｏ」「Ｐ」「Ｑ」「Ｒ」などがある。その他の文字、図形等においても多数ある。
【００２３】
また閉曲線がなくても、強度を高めたいと考える場合は橋部４を随時設けるようにする。
【００２４】
図３は、本発明に係る標示札の第３の実施形態の構成を示す図である。図１および図３の例は、どちらも「×」（記号の「バツ」）を表示した例である。図３のように橋部４のない形態でもよいし、標示札１全体としての強度を高めたければ、図１のように橋部４を設ける形態としてもよい。
【００２５】
橋部４はくりぬき部３を横断するように設けるので、視覚的には、表示する数字、文字、図形等の切欠部となる。従って、表示機能を阻害しない程度とする配慮は必要である。
【００２６】
固定部６は、従来の標示札と同様の構成でよい。図１に示したように、端部にスリット孔を設けて帯状ベルトなどで、掲示したい箇所に固定してもよい。スリット孔だけでなく、標示札１の裏面に磁石を備えたり、ボルトで固定できるような機構を備えてもよい。鉄塔などの設備側に、標示札１を保持したり嵌め入れる機構がある場合は、特に標示札１側に特別な固定部６を有することはない。
【００２７】
地板部２は、木製、合成樹脂製、ＦＲＰ製、金属製などいずれの材料で構成してもよい。なお、金属製のものが木製や合成樹脂製のものよりも耐久性や加工性に優れる。木製の場合は風雨の他に虫などによる劣化が生じやすく、合成樹脂製の場合は紫外線などによる劣化や雹などの硬いものがあたることによって破損が生じ易いためである。金属製の場合は、素地自体の劣化が低いため耐久性に優れる。防錆加工などを行うと更に耐久性が高まる。金属の種類としては、重量などの観点からもアルミ製が望ましいといえる。
【００２８】
次に、本実施の形態の標示札１の実施の状態について説明する。
【００２９】
図４は、本発明に係る標示札の第１の使用状況を示した図であり、特別高圧用鉄塔の上部に、本発明に係る標示札を配置した図である。このような鉄塔の高さは２０ｍから５０ｍ程度であるが、このような鉄塔の点検作業は、地上から上部に設置した標示札１を視認により確認する。
【００３０】
この例では、標示札１は地板部２の四隅付近に設けられた固定部６によって部材７にボルトで固定された状態を示している。
【００３１】
このとき、くりぬき部３からは標示札１の背後が見える。この場合の例では、背後は空になるから、標示札１は、地板部２を地色とし、これに背景色である空の色が文字として表示されたように見えるようになる。そのため、標示札１に、周囲の構造物（例えば、鉄塔のアングル材など）の影が落ちてしまった場合、従来は、表示にも影が落ちて見えにくくなるところ、くりぬき部３を通じて視認できる背景は明るくなり、地板部２との明暗がはっきりとして表示が確認しやすくなる。そのため、本発明に係る標示札１を使用すれば、従来行っていた、影を避ける角度で標示札を観察するため作業者が移動したり、作業者が標示札に明かりをあてるなどの手間が不必要になる。
【００３２】
くりぬき部３を通じて視認される背景の色によって表示される文字を、より鮮明に認識したい場合は、地板部２に彩色を施すとより効果的である。
【００３３】
例えば、地板部２がアルミ板で構成された場合、その色は、鉄塔のアングル材や電柱のコンクリート色、曇り空と同系色となる。本発明に係る標示札１をより鮮明に認識したい場合は、補色として地板部２を、例えば茶色、赤といった背景の色と区別しやすい色を地板部に与える。そうすれば、くり抜き部から見える色（背景色）と、地板部に与えた補色との明暗がより強くなり、より鮮明な表示機能を有することになる。
【００３４】
なお、このように地板部２に補色を施しても、従来の数字、文字、図形等のみを塗装していた場合と比べ、地板部２の塗装は一部がはげ落ちたり、変色、退色によって消散しても表示機能に影響を与えにくいので、従来品より、耐久性が高いという効果は保持できる。
【００３５】
図５は、本発明に係る標示札の第２の使用状況を示した図であり、鉄塔の部材に、本発明に係る標示札を設置した例である。この例は、鉄塔の下部に回線札として設置する例に相当する。
【００３６】
この例では固定部６として、帯状ベルト用固定部６１と、ボルト用固定部６２とを有し、ボルト用固定部６２を用いて、部材７に固定した状態を示している。
【００３７】
くりぬき部３からは、背景色である部材７の色が見えるようになる。地板部２の素材と部材７の素材とが同じ場合は、同系色となる。この場合、表示が視認しにくいが、標示札１は板としての厚みがあり、表示部分の外輪郭にあたるくりぬき部３のエッジ３１の部分の光の反射や立体感などによって表示機能は発現する。
【００３８】
なお図４の例と同様に、部材７に色を施したり、地板部２に色を施したりすることで、表示機能は高まるといえる。
【００３９】
なお、作業者のみが設備情報を把握できればよいのであるから、通電状態に係らず至近で確認できるような場合は視認性を考慮しなくてもよい場合もある。
【００４０】
図６は、本発明に係る標示札の第３の使用状況を示した図であり、山間部などの超高圧用送電鉄塔に、本発明に係る標示札を設置した例である。このような場所では、ヘリコプターを用いて上空から地上側を眺めるようにして確認する場合が多い。
【００４１】
この例では、標示札１が鉄塔側に設けられた設備側固定部８に設置された状態を示している。
【００４２】
このとき、くりぬき部３からは今までの説明と同様に標示札１の背後が見える。この場合の例では、背後は地上側になるから、標示札１は、地板部２を地色とし、これに背景色である地上側の風景の色が文字として表示されたように見えるようになる。山間部の場合は夏は樹木の色（緑、黄、赤、茶などが主な色）となり、冬は雪もしくは地面の色（白、茶、黒、灰色などが主な色）となる。
【００４３】
くりぬき部３を通じて視認される背景色によって表示される文字を、より鮮明に認識したい場合は、地板部２に色を施すとより効果的であるが、季節によって背景色が変わるので、与える色にバリエーションをもたせた。複数の標示札を設置するようにすれば、季節によらず、設備全体としての表示機能が維持されやすくなる。
【００４４】
図７は、本発明に係る標示札の表示機能を説明する図である。作業者９は、標示札１のくりぬき部３を介して、標示札１の背景１１を視覚的に捉える。図４に示した第１の使用状況では、作業者９は地上から上方を見上げるようにして標示札１をみる。このような場合は、標示札１のくりぬき部３を介して、標示札１の背景１１の空１１１をみることになる。街中で周囲に高層の建物がある場合は、標示札１の背景１１として建物が見える場合もある（図示せず）。作業者９は、その位置を変えると、それに伴って、標示札１のくりぬき部３から見える標示札１の背景１１は変動する。
【００４５】
次に、図６に示した第３の使用状況では、作業者９は上空のヘリコプター１０に乗り、そこから標示札１を観察する。この場合、作業者９はヘリコプター１０の窓などから標示札１を見下ろすような形で観察する。地上にいる場合と同様に、作業者９は、標示札１のくりぬき部３を介して、標示札１の背景１１の木立１１２や茂み１１３などをみることになる。背景に住宅や湖などがある場合は、標示札１の背景１１としてそれらをみる場合もある（図示せず）。ヘリコプター１０は、ヘリコプター１０１やヘリコプター１０２のように上下、左右、を問わず常にその位置を変動させるため、その位置の変動に伴って、標示札１のくりぬき部３から見える標示札１の背景１１は変動する。
【００４６】
このように、観察者９は上下、左右などに変動している状態で、標示札１を観察することが多い。このとき、くりぬき部３を通じて視認される背景も、観察者の移動に応じて変動する。観察者が移動すると、くりぬき部３を通じて視認できる標示札の背景１１が変化するので、標示札１の表示の模様があたかも変動するようにも見えることになる。これにより、表示の視認が容易になるという効果も生み出す。
【００４７】
本発明に係る標示札は、数字、文字、図形等をくりぬくことによって標示札の背景の風景がもつ色を用いて表示機能を発現させるため、風雨に曝されても、標示札の数字、文字、図形等の表示が消散することがなくなる。よって本発明に係る標示札を屋外に放置しておいても、地板部が損なわれない限り、表示内容を恒久的に、しかも明瞭に示し続けることができるようになるので、作業時の読み違いなどが生じにくくなり安全性が高まる。また、本発明に係る標示札によれば、従来不可欠であった交換作業が大幅に削減できる。更にはこれにより、交換作業に伴う送電の停止作業、施工作業の手間、交換資材も削減することができる副次的効果も発生する。また、本発明では、表示部分をくり抜きするため、アルミ資源の最小化と軽量化にも寄与する点でも優れている。
【００４８】
なお、標示札の固定方法については特に言及をしていないが、今回示した例に限られるものではなく、ボルトやベルトの他に、ビス、マジックテープ（登録商標）、紐などや、磁石などを用いて設置してもよい。また、標示札に固定用の貫通孔を設けず、背面に固定部を有してもよい。
【図面の簡単な説明】
【００４９】
【図１】本発明に係る標示札の第１の実施形態の構成を示す図
【図２】本発明に係る標示札の第２の実施形態の構成を示す図
【図３】本発明に係る標示札の第３の実施形態の構成を示す図
【図４】本発明に係る標示札の第１の使用状況を示す図
【図５】本発明に係る標示札の第２の使用状況を示す図
【図６】本発明に係る標示札の第３の使用状況を示す図
【図７】本発明に係る標示札の表示機能を説明する図
【符号の説明】
【００５０】
１…標示札
２…地板部
３…くりぬき部
３１…エッジ部
４…橋部
５…島部
６…固定部
６１…帯状ベルト用固定部
６２…ボルト用固定部
７…部材
８…設備側固定部
９…作業者
１０…ヘリコプター
１０１…ヘリコプター
１０２…ヘリコプター
１１…標示札の背景
１１１…空
１１２…木立
１１３…茂み
【図１】
2010066498.tif 000003
【図２】
2010066498.tif 000004
【図３】
2010066498.tif 000005
【図４】
2010066498.tif 000006
【図５】
2010066498.tif 000007
【図６】
2010066498.tif 000008
【図７】
2010066498.tif 000009